【手続補正書】
【提出日】平成29年6月16日(2017.6.16)
【手続補正１】
【補正対象書類名】明細書
【補正対象項目名】発明の名称
【補正方法】変更
【補正の内容】
【発明の名称】非剥離性金属被覆ダイヤモンド窓
【手続補正２】
【補正対象書類名】明細書
【補正対象項目名】０００１
【補正方法】変更
【補正の内容】
【０００１】
本発明は、ダイヤモンド表面に非剥離性金属被覆を施した上で、工具類に接合したダイヤモンド接合工具類に関する。より詳しくは、非剥離性金属被覆ダイヤモンドを備える非剥離性金属被覆ダイヤモンド窓に関する。
【手続補正３】
【補正対象書類名】明細書
【補正対象項目名】００２５
【補正方法】変更
【補正の内容】
【００２５】
本発明は、上記の課題を解決するために、
（１）
金属を非剥離的にダイヤモンド表面に被覆した非剥離性金属被覆ダイヤモンドを、工具類の金属部分に接合したことを特徴とするダイヤモンド接合工具類。
（２）
前記非剥離性金属被覆ダイヤモンドを、ダイヤモンドとＣｒ金属粉と酸化Ｃｒ粉の混合粉または単体のＣｒ金属粉のいずれかの金属粉と焼き締まりを防ぐとともに冷却混合物の崩壊性を促進させる崩壊助剤を混ぜて混合物とし、加熱し、前記金属粉とダイヤモンド表面を大気中で化学反応させ、前記混合物を冷却し、金属被覆されたダイヤモンドを分離回収して得る非剥離性金属被覆ダイヤモンドとしたことを特徴とする（１）に記載のダイヤモンド接合工具類。
（３）
前記崩壊助剤を、１１５０℃から１１６０℃においてダイヤモンドと共存しても、ダイヤモンドと反応せず、共存するＣｒ金属粉及び／又は酸化Ｃｒとダイヤモンドの化学反応を阻害しない崩壊助剤としたことを特徴とする（２）に記載のダイヤモンド接合工具類。
（４）
前記崩壊助剤が、炭化ケイ素、酸化ケイ素、タングステン、炭化タングステン、酸化クロム、酸化アルミニウム、酸化マグネシウム、立方晶窒化ホウ素、酸化ジルコニアの内から選ばれる１種又は２種以上であることを特徴とする（３）に記載のダイヤモンド接合工具類。
（５）
前記金属粉が、Ｃｒ金属粉であって、Ｃｒ金属粉と前記崩壊助剤を、１：１〜１：５の重量割合で配合したことを特徴とする（１）乃至（４）に記載のダイヤモンド接合工具類。
（６）
前記ダイヤモンドを、非剥離性金属被覆を必要としない箇所に金属被覆防止剤加工を施したダイヤモンドとしたことを特徴とする（１）乃至（５）に記載のダイヤモンド接合工具類。
（７）
前記金属被覆防止剤を、純水３０％と水ガラス７０％の溶液に崩壊助剤の粉末を混和した金属被覆防止剤としたことを特徴とする（６）に記載のダイヤモンド接合工具類。
（８）
（１）〜（７）に記載のダイヤモンド接合工具類が、前記工具類の金属部分をスクライバーポイントの台金とし、前記台金の端部に前記非剥離性金属被覆ダイヤモンドの金属被覆部を鑞接してなることを特徴とするスクライバーポイント。
（９）
（１）〜（７）に記載のダイヤモンド接合工具類が、前記工具類の金属部分をピボット軸受けの軸とし、前記軸の端部に前記非剥離性金属被覆ダイヤモンドの金属被覆部を鑞接してなることを特徴とする鑞接型ピボット軸受け。
（１０）
（１）〜（７）に記載のダイヤモンド接合工具類が、前記工具類の金属部分をピボットの軸とし、前記軸の端部に、弧状に窪んだピボット軸の受け面を備えた前記非剥離性金属被覆ダイヤモンドの金属被覆部を鑞接してなることを特徴とする鑞接型ピボット軸受け。
（１１）
（１）〜（７）に記載のダイヤモンド接合工具類が、前記工具類の金属部分を金属センサの軸とし、前記軸の端部に前記非剥離性金属被覆ダイヤモンドの金属被覆部を鑞接してなることを特徴とする測定端子。
（１２）
（１）〜（７）に記載のダイヤモンド接合工具類が、前記工具類の金属部分をフォーミングドレッサーの台金とし、前記台金の端部の溝に前記非剥離性金属被覆ダイヤモンドの金属被覆部を鑞接してなることを特徴とするフォーミングドレッサー。  
（１３）
（１）〜（７）に記載のダイヤモンド接合工具類が、前記工具類の金属部分を、センサの軸とし、前記軸の端部に、球形の前記非剥離性金属被覆ダイヤモンドを複数個配置するとともに前記金属被覆部で鑞接した金属素材を接合してなることを特徴とする測定端子。
（１４）
（１）〜（７）に記載のダイヤモンド接合工具類が、前記工具類の金属部分を、センサの軸とし、前記軸の端部に、板状の前記非剥離性金属被覆ダイヤモンドを複数個敷き詰めるとともに前記金属被覆部で鑞接してなることを特徴とする測定端子。
（１５）
（１）〜（７）に記載のダイヤモンド接合工具類が、前記工具類の金属部分を揺動面の台金とし、前記台金の上面の溝に、或いは前記台金に接合される金属素材の溝に、球形の前記非剥離性金属被覆ダイヤモンドを複数個配置するとともに前記金属被覆部で鑞接した上で研磨して平坦面を形成してなることを特徴とするダイヤモンド揺動面。
（１６）
（１）〜（７）に記載のダイヤモンド接合工具類が、前記工具類の金属部分を揺動面の台金とし、前記台金の上面に板状の前記非剥離性金属被覆ダイヤモンドを複数個敷き詰めるとともに前記金属被覆部で鑞接した上で研磨して平坦面を形成してなることを特徴とするダイヤモンド揺動面。
（１７）
（９）に記載の鑞接型ピボット軸受けの前記非剥離性金属被覆ダイヤモンドの上面に断面Ｖ字の溝を設け、前記ピボット軸の先端に円錐形に成型した非剥離性金属被覆ダイヤモンドを鑞接したことを特徴とするＶ字エンドストーン及びピボット軸受け構造。
（１８）
（９）に記載の鑞接型ピボット軸受けの前記非剥離性金属被覆ダイヤモンドの上面に断面Ｕ字の溝を設け、前記Ｕ字の溝に硬球を載置し、前記ピボット軸の先端に、断面略Ｖ字状の溝を設けた非剥離性金属被覆ダイヤモンドを鑞接し、前記前記非剥離性金属被覆ダイヤモンドのＶ字の溝を前記硬球に接触させたことを特徴とするＵ字エンドストーン及びピボット軸受け構造。
（１９）
穴が穿設されたリングジュエルと、前記穴に挿入され回転保持される回転軸と、前記回転軸の先端と接触し保持する非剥離性金属被覆ダイヤモンドを台金に鑞接したエンドストーンと、前記エンドスートの底面に配置され弾性体と、前記エンドストーン及び弾性体を収納する容器と、からなることを特徴とするリングジュエル及びエンドストーン構造。
（２０）
（１）〜（７）に記載のダイヤモンド接合工具類が、前記工具類の金属部分を軸芯測定用軸受け装置の軸受け台とし、前記軸受け台の端部を斜めに切り欠いた面に板状の前記非剥離性金属被覆ダイヤモンドの金属被覆部を軸芯測定用軸受けとして鑞接してなることを特徴とする軸芯の真円度及び偏心度を測定する軸芯測定用軸受け台。
（２１）
（２０）に記載の軸芯測定用軸受け台を、２台、前記斜めに切り欠いた面を対向させて配置し、Ｖ字溝を形成して前記Ｖ字溝に軸芯を載置し、前記軸芯を回転させて、前記軸芯の真円度及び偏心度を測定することを特徴とする軸芯測定装置。
（２２）
前記Ｖ字溝の上部に、前記軸測定用軸受けを配置し、３面で前記軸芯を保持することを特徴とする（２１）に記載の軸芯測定装置。
（２３）
（１）〜（７）に記載のダイヤモンド接合工具類が、前記工具類の金属部分を回転軸の表面とし、前記回転軸の表面に球状の前記非剥離性金属被覆ダイヤモンドの金属被覆部を鑞接するとともに研磨し、仕上面を形成し、軸受けである筒に挿通して回転させることを特徴とする非剥離性金属被覆ダイヤモンドを備える回転軸。
（２４）
（１）〜（７）に記載のダイヤモンド接合工具類が、前記工具類の金属部分を、軸受けの内部空洞の表面とし、前記軸受けの空洞の表面に球状の前記非剥離性金属被覆ダイヤモンドの金属被覆部を鑞接するとともに研磨し、仕上面を形成し、回転軸を挿通して回転保持することを特徴とする非剥離性金属被覆ダイヤモンドを備える軸受け。
（２５）
大熱容量金属部と、前記大熱容量金属部に金属被覆部を鑞接した非剥離性金属被覆ダイヤモンドと、前記非剥離性金属被覆ダイヤモンドのダイヤモンド面に載置されるＩＣと、からなることを特徴とするパワーＩＣのヒートシンク。
（２６）
感温センサを内蔵したセンサと、前記センサの金属製端部に金属被覆部を鑞接した非剥離性金属被覆ダイヤモンドと、からなることを特徴とする温度測定センサ。
（２７）
金属製の感温センサと、前記感温センサの金属部に金属被覆部を鑞接した非剥離性金属被覆ダイヤモンドとからなり、前記非剥離性金属被覆ダイヤモンドを被測定物に直接接触させて、被測定物流体の温度を測定することを特徴とする温度測定センサ。
（２８）
レコードの音溝に接する三角錐又は三角柱で底部に非剥離的に被覆された金属被覆を備える針先である非剥離性金属被覆ダイヤモンドと、両端に非剥離的に金属被覆を備えるダイヤモンド製のカンチレバーと、コイルボビンとからなり、前記カンチレバーの一端に前記針先である非剥離性金属被覆ダイヤモンドの前記金属被覆と前記カンチレバーの金属被覆を接合し、他端には前記金属被覆と前記コイルボビンを鑞接して備えることを特徴とするダイヤモンドカンチレバー。
（２９）
（１）〜（７）に記載のダイヤモンド接合工具類が、前記工具類の金属部分を、半田ごての金属棒の先端部とし、前記金属棒の先端部に所望の形状に成形した前記非剥離性金属被覆ダイヤモンドの金属被覆部を鑞接したことを特徴とする半田ごて先端。
（３０）
半田素材に、非剥離性金属被覆ダイヤモンドを混合したことを特徴とする半田。
（３１）
（３０）に記載の半田を、ドロップ形状又は棒状に成型したことを特徴とする半田。
（３２）
ダイヤモンド表面に導電性金属で回路線を描き、前記ダイヤモンドと前記回路線で非剥離性金属被覆ダイヤモンドを形成し、さらに前記回路線に金を鑞接したことを特徴とする非剥離性金属被覆ダイヤモンド回路。
（３３）
ダイヤモンド表面に金属で絵を描き、前記ダイヤモンドと前記金属で非剥離性金属被覆ダイヤモンドを形成したことを特徴とする非剥離性金属被覆ダイヤモンド描画。
（３４）
内部空間を備える金属製の隔壁間に嵌められる非剥離性金属被覆ダイヤモンド窓であって、
前記隔壁に接触する部分に金属被覆部を備え、前記隔壁に前記金属被覆部で鑞接され、前記内部空間を監視可能としたことを特徴とする非剥離性金属被覆ダイヤモンド窓。
（３５）
（１）〜（７）に記載のダイヤモンド接合工具類が、前記工具類の金属部分を、回転軸の端面の切り欠き境界とし、前記境界に、角棒状の前記非剥離性金属被覆ダイヤモンドを複数個配置するとともに前記金属被覆部で鑞接してなることを特徴とする非剥離性金属被覆ダイヤモンドキリ。
（３６）
（１）〜（７）に記載のダイヤモンド接合工具類が、前記工具類の金属部分を、回転軸の端面とし、前記端面にバランサーを削り残し、前記バランサーとバランスのとれた位置に前記非剥離性金属被覆ダイヤモンドを前記金属被覆部で鑞接してなることを特徴とする非剥離性金属被覆ダイヤモンドドリル。
の構成とした。
【手続補正４】
【補正対象書類名】明細書
【補正対象項目名】００７９
【補正方法】変更
【補正の内容】
【００７９】
図６（ｄ）は、従来のカシメ式ピボット２７、２７ａで、上端が斜視図、中段がＢ−Ｂ‘線断面図、下段が他の形態の中段に相当する縦断面図である。従来のカシメ式ピボット２７は、軸２９の溝２９ａに受け石ダイヤモンド２８を配置して、溝２９ａ周辺の軸２９部を受け石ダイヤモンド２８側に締め付けて、受け石ダイヤモンド２８を軸２９に固定する。従来のカシメ式ピボット２７ａは、カシメ式ピボット２７と形状が異なる。即ち、受け石ダイヤモンド２８がダイヤモンド２８ａで、軸２９が軸２９ｂで、溝２９ａが溝２９ｃとなる。固定強度の問題から、大型化が避けられない（次段落も同じ）。
【手続補正５】
【補正対象書類名】明細書
【補正対象項目名】００８０
【補正方法】変更
【補正の内容】
【００８０】
図６（ｅ）は、従来のカシメ式ピボット受け３０で、上段が斜視図、中段がＣ−Ｃ‘線断面図、下段が他の形態の中段に相当する縦断面図である。従来のカシメ式ピボット受け３０は、軸３２の溝３２ａに受け面３１ａを備える受け石ダイヤモンド３１を配置して、溝３２ａ周辺の軸３２部を受け石ダイヤモンド３１側に締め付けて、受け石ダイヤモンド３１を軸３２に固定する。
【手続補正６】
【補正対象書類名】明細書
【補正対象項目名】０１１７
【補正方法】変更
【補正の内容】
【０１１７】
図１４（ｃ）で、軸受け台のＶ字の異なる形態について例示する。図１４（ｃ）の中段は、図１４（ｂ）に対応する。図１４（ｃ）の上段の軸芯測定装置７７は、Ａ面７７ａ、Ｂ面７７ｂ及びＣ面７７ｃの三面によって軸芯７７ｄを軸芯測定用軸受け７３を鑞接した軸受け台で保持する形態である。特に軸芯７７ｄが細い場合に効果的である。
【手続補正７】
【補正対象書類名】明細書
【補正対象項目名】０１３９
【補正方法】変更
【補正の内容】
【０１３９】
図２１、図２２に非剥離性金属被覆ダイヤモンド窓１２０の複数の異なる実施形態を示した。図２１（ａ）段は、非剥離性金属被覆ダイヤモンド窓１２０（ａ〜ｌ）の側面図である。ダイヤモンド１２０ａ部は、側面視、長方形、楕円、六角形など種々の形状で白抜きとして表されている。金属被覆部１２ｂは、上下に黒塗りエリアとして表されている。図２１（ｂ）段は、内部１２０ｄ空間を備える隔壁１２０ｃに非剥離性金属被覆ダイヤモンド窓１２０嵌め込んだときの断面模式図である。非剥離性金属被覆ダイヤモンド窓１２０の右側がチャンバーなどの内部１２０ｄであり、左側が外側１２ｅである。
【手続補正８】
【補正対象書類名】明細書
【補正対象項目名】０１４１
【補正方法】変更
【補正の内容】
【０１４１】
図２１に示すように、（ａ）段の非剥離性金属被覆ダイヤモンド窓１２０と隔壁１２０ｃとを、内部１２０ｄの状況に合わせて、組み合わせる。（ｂ）段のＡタイプの隔壁１２０ｃには、（ａ）段のａ、ｂ、ｄ、ｇ、ｈなどの非剥離性金属被覆ダイヤモンド窓１２０を好適に組み合わすことができる。最も、加工が容易な形状の組み合わせである。ダイヤモンド１２０と隔壁１２０ｃの接合部に金属リングを鑞接することで、鑞接面１２０ｉの強度が一層高まる。
【手続補正９】
【補正対象書類名】明細書
【補正対象項目名】０１４２
【補正方法】変更
【補正の内容】
【０１４２】
図２１（ｂ）段のＢタイプの隔壁１２０ｃには、（ａ）段のａ、ｂ、ｃ、ｄ、ｅ、ｆ、ｇ、ｈ、ｉなどの非剥離性金属被覆ダイヤモンド窓１２０を好適に組み合わせることができる。Ｂタイプより右側の隔壁１２０ｃには、外側１２０ｅ（監視側）にストッパ１２０ｆが設けられ、内部１２０ｄが高圧になっても破損を防止することができる（防爆型）。
【手続補正１０】
【補正対象書類名】明細書
【補正対象項目名】０１４３
【補正方法】変更
【補正の内容】
【０１４３】
図２１（ｂ）段のＣタイプの隔壁１２０ｃには（ａ）段のｇ、ｈ、ｉなどが、Ｄタイプの隔壁１２０ｃには（ａ）段のｇ、ｈ、ｊ、ｋなどが、Ｅタイプの隔壁１２０ｃには（ａ）段のｇ、ｈ、ｉなどが、Ｆタイプの隔壁１２０ｃには（ａ）段のＬなどの非剥離性金属被覆ダイヤモンド窓１２０を好適に組み合わせることができる。
【手続補正１１】
【補正対象書類名】特許請求の範囲
【補正対象項目名】全文
【補正方法】変更
【補正の内容】
【特許請求の範囲】
【請求項１】
内部空間を備える金属製の隔壁間に嵌められる非剥離性金属被覆ダイヤモンド窓であって、
前記隔壁に接触する部分に金属を非剥離的にダイヤモンド表面に被覆した金属被覆部を備えた非剥離性金属被覆ダイヤモンドが、前記隔壁に前記金属被覆部で鑞接されたことを特徴とする非剥離性金属被覆ダイヤモンド窓。
【請求項２】
前記金属被覆部と前記隔壁の間が、鑞接材で充填されたことを特徴とする請求項１に記載の非剥離性金属被覆ダイヤモンド窓。
【請求項３】
前記非剥離性金属被覆ダイヤモンドが嵌る前記隔壁部分に段差のストッパを備えることを特徴とする請求項１又は請求項２に記載の非剥離性金属被覆ダイヤモンド窓。
【請求項４】
前記非剥離性金属被覆ダイヤモンドと前記隔壁の鑞接部に、鑞接された金属リングを備えることを特徴とする請求項１〜請求項３の何れか１項に記載の非剥離性金属被覆ダイヤモンド窓。